(57)【特許請求の範囲】
【請求項１】
表示データを受け付けて、当該表示データに従って表示を行う多入力モニタ装置であって、
第１および第２の情報処理装置からの表示データおよび通信データをそれぞれ受け付ける第１および第２のインタフェース部と、
表示画面を表示する表示部と、
前記第１のインタフェース部で前記第１の情報処理装置から受け付けた通信データから、前記第２のインタフェース部で前記第２の情報処理装置から受け付けた表示データおよび通信データに基づく表示画面についての制御情報を識別する通信制御手段と、
前記第１のインタフェース部で受け付けた前記第１の情報処理装置からの表示データおよび通信データに基づく表示画面と、前記第２のインタフェース部で受け付けた前記第２の情報処理装置からの表示データおよび通信データに基づく表示画面とを、前記通信制御手段で識別された制御情報にしたがって制御し重ね合わせて表示する表示制御手段と、を備え、
前記通信制御手段において識別される前記制御情報は、
前記第１の情報処理装置からの表示データおよび通信データに基づく表示画面に表示する、前記第２の情報処理装置からの表示データおよび通信データに基づく表示画面の大きさと表示位置とを表す情報（以後、ウインドウ表示情報と呼ぶ。）と、前記第１の情報処理装置に接続された入力装置を介して入力される情報とであり、
前記通信制御手段は、前記入力装置を介して入力される情報を、前記第２のインタフェース部を介して前記第２の情報処理装置に転送すること
を特徴とする多入力モニタ装置。
【請求項２】
請求項１に記載の多入力モニタ装置において、
前記通信制御手段は、前記通信データに含まれる前記第２のインタフェース部で受け付けた表示データおよび通信データに基づく表示画面についての解像度情報および周波数情報を前記制御情報としてさらに識別することを特徴とする多入力モニタ装置。
【請求項３】
請求項２記載の多入力モニタ装置において、
前記表示制御手段は、
前記通信制御手段で識別された、前記第２のインタフェース部で受け付けた表示データおよび通信データに基づく表示画面についての解像度情報および周波数情報にしたがって、当該前記第２のインタフェース部で受け付けた表示データの解像度および周波数を変換する変換手段と、
前記通信制御手段で識別された、前記ウインドウ表示情報にしたがって表示位置の制御を行う表示位置制御手段と
を備えることを特徴とする多入力モニタ装置。
【発明の詳細な説明】
【０００１】
【発明の属する技術分野】
本発明は、表示装置に関し、特に、パーソナルコンピュータ（ＰＣ）、ワークステーション（ＷＳ）などの情報処理装置に接続されるモニタ装置に関する。
【０００２】
【従来の技術】
従来の表示装置は、日立製マルチスキャンモニタ“ＤＣ１５５２”のように、ＰＣからの表示データを受け取るインタフェースを一つ備える。表示装置では、そのインタフェースを介して送られてくる表示データに従って表示を行っている。
【０００３】
【発明が解決しようとする課題】
前述した従来技術では、表示データ用のインタフェースは一つであり、一台のモニタに一台のＰＣを接続している。しかし、複数台のＰＣの接続に関しては考慮されていないため、複数台のＰＣを接続させたい場合には、外部のスイッチャなどの切替器等により、表示データを切り替えることにより、対処するしかなかった。
【０００４】
本発明は、上記課題を解決するために、複数の情報処理装置を接続させることができる多入力モニタ装置を提供することを目的とする。
【０００５】
【課題を解決するための手段】
本発明は上記課題を解決するためになされたものであり、表示データを受け付けて、当該表示データに従って表示を行うモニタ装置であって、第１および第２の情報処理装置からの表示データおよび通信データを受け付ける第１および第２のインタフェース部と、表示画面を表示する表示部と、記第１のインタフェース部で受け付けた通信データから、前記第２のインタフェース部で受け付けた表示データおよび通信データに基づく表示画面についての制御情報を識別する通信制御手段と、前記第１のインタフェース部で受け付けた表示データおよび通信データに基づく表示画面と、前記第２のインタフェース部で受け付けた表示データおよび通信データに基づく表示画面とを、前記通信制御手段で識別された制御情報にしたがって表示の制御を行う表示制御手段とを備える。この場合、前記通信制御手段は、前記第２のインタフェース部で受け付けた通信データを、前記第１のインタフェース部に転送することができる。さらに、前記通信制御手段は、前記第２のインタフェース部で受け付けた通信データを、前記第１のインタフェース部に転送することができる。
【０００６】
また、表示データおよび通信データを受け付ける第１および第２のインタフェース部を備えるモニタ装置に接続される情報処理装置であって、前記表示データおよび前記通信データを生成する制御手段と、前記表示データおよび前記通信データを前記モニタ装置に転送する通信制御手段とを備え、前記制御手段は、前記モニタ装置に接続される他の情報処理装置の表示画面についての制御情報を生成し、通信データとして前記通信制御手段により転送させるようにしてもよい。
【０００７】
本発明によれば、従来、一台しか接続できなかったＰＣが、複数接続できる。また、情報処理装置間の通信制御を行う通信制御手段を備えるため、重ね合わせた表示画面上で、ファイルのやり取り等のＰＣ間の通信が可能となる。
【０００８】
【発明の実施の形態】
以下、本発明の実施の形態を、図面を参照して詳細に説明する。
【０００９】
図１に、本発明の一実施形態であるモニタ装置の使用例を示す。
【００１０】
図１において、モニタ装置１は、液晶モニタなどであり、第１および第２の情報処理装置（以下、ＰＣという）２および３に接続され、これらからの表示データおよび通信データを受け付ける第１および第２のインタフェース部と、前記表示データを表示画面に表示する表示部とを備える。第１ＰＣ２および第２ＰＣ３は、表示データおよび通信データを生成し、生成した表示データおよび通信データを転送する。
【００１１】
また、第１ＰＣ２には、ユーザからの指示を受け付けるユーザインタフェースのキーボード４およびマウス５が接続される。キーボード４およびマウス５は、第１ＰＣ２における指示受け付けるとともに、第２ＰＣ３における指示も受けつける。
【００１２】
図１において、モニタ装置１には、第１ＰＣ２から転送される表示データおよび通信データに基づく表示画面上に、第２ＰＣ３から転送される表示データおよび通信データに基づく表示をウィンドウ表示する。
【００１３】
図２に、本実施の形態におけるモニタ装置の画面の表示例を示す。
【００１４】
図２において、表示画面６は、第１ＰＣ２から転送された表示データおよび通信データに基づく表示画面であり、例えば、１０２４×７６８ドットの解像度とする。表示画面７は、第２ＰＣ３から転送された表示データおよび通信データに基づく表示画面であり、最初は第２ＰＣにより指示された表示解像度、例えば、６４０×４８０ドットで表示しているものとする。また、図２において、８はウィンドウ表示左上端の垂直方向座標、９はウィンドウ表示の垂直方向の大きさ、１０はウィンドウ表示左上端の水平方向座標、１１はウィンドウ表示の水平方向の大きさをそれぞれ示す。上述した解像度の場合、ウィンドウ表示の水平方向の大きさ１１と、垂直方向の大きさ９とは、最初は各々６４０、４８０ドットである。マウスカーソル１２は、第１ＰＣ２のマウスによりコントロールされる。例えば、マウスカーソル１２によって表示画面７のウィンドウ位置が変更された場合は、ウィンドウ表示左上端の垂直方向座標８および水平方向座標１０が変更され、第２ＰＣ表示画面７の位置が変更される。ウィンドウサイズが変更された場合は、垂直方向の大きさ９および水平方向の大きさ１１が変更され、第２ＰＣ表示画面７はそれに従った表示となる。ファイル等を移動、コピーする場合は、マウスカーソル１２によってファイルを画面上で移動することにより、第１ＰＣ２から第２ＰＣ３へ、あるいは第２ＰＣ３から第１ＰＣ２へとファイルのデータが転送される。
【００１５】
図３に、本発明の実施の形態におけるモニタ装置のブロック図を示す。
【００１６】
図３において、第１ＰＣコネクタ１３は、第１のＰＣにおけるモニタ接続用のコネクタであり、第１表示データ１４は第１のＰＣから転送される表示データであり、第１通信データ１５は第１のＰＣとモニタ装置間で送受信される通信データである。第２ＰＣコネクタ１６は、第２のＰＣにおけるモニタ接続用のコネクタであり、第２表示データ１７は第２のＰＣから転送される表示データであり、第２通信データ１８は第２のＰＣとモニタ装置間で送受信される通信データである。第１モニタコネクタ１９は、モニタ装置１が備えるモニタ接続用のコネクタであり、第２モニタコネクタ２０は、第１モニタコネクタ１９と同様のインタフェースを備える。第１ＰＣ２と、第２ＰＣ３とは、同様のインタフェースであるモニタ接続用の第１ＰＣコネクタ１３と、第２ＰＣコネクタ１６とを各々備える。第１ＰＣコネクタ１３および第１モニタコネクタ１９は、第１表示データ１４および第１通信データ１５を送受信するインタフェースである。第２ＰＣコネクタ１６および第２モニタコネクタ２０は、第２表示データ１７および第２通信データ１８をを送受信するインタフェースである。第１表示データ１４および第２表示データ１７は、カラー表示のための表示データであり、ここでは、小電圧差動信号（ＬＶＤＳ）方式で送られてくる各色８ビットのカラーデータとする。また、第１通信データ１５および第２通信データ１８は、各ＰＣからの制御情報や、キーボード、マウス等の入力手段の指示情報をやり取りする制御データであり、ここでは、ＵＳＢ（Ｕｎｉｖｅｒｓａｌ  Ｓｅｒｉａｌ  Ｂｕｓ）と呼ばれるシリアル通信とする。
【００１７】
次に、モニタ装置１の内部構成を説明する。図４に、モニタ装置１の内部構成の一実施の形態である。
【００１８】
図４において、通信制御部２１は、第１ＰＣ２と第２ＰＣ３との通信データの制御を行う。第２解像度信号２２は、第２ＰＣ３についてのウィンドウ画面の解像度を示す。表示位置指定信号２３は、第２ＰＣ３のウィンドウ画面について表示画面６上の位置を示す。表示制御部２４は、第１ＰＣ２と第２ＰＣ３との表示画面の制御を行う。液晶表示データ２５は、液晶ディスプレイ２６に表示させるためのデータである。通信制御部２１は、第１ＰＣ２と第２ＰＣ３間のファイルのやり取りを、第１通信データ１５および第２通信データ１８を介して行う。また、通信制御部２１は、、第１ＰＣ２と第２ＰＣ３との表示画面を重ね合わせ表示する場合に、ウィンドウの位置情報を、第１通信データ１５を介して受け取り、第２ＰＣ３の表示を重ね合わせする大きさ（解像度）を示す第２解像度信号２２と、重ね合わせする位置を示す表示位置信号２３とを表示制御部２４へ出力する。第１ＰＣ２から送られてくるウィンドウの位置情報及び解像度情報は、ウィンドウの左上点の座標情報、垂直方向ライン数、水平方向ドット数により示され、各々シリアルデータで転送される。また、通信制御部２１が出力する表示位置信号２３は、第１ＰＣ２の画面を表示する場合に“０”、第２ＰＣ３の画面を表示する場合に“１”となる１ビットの信号を指示する。また、解像度信号２２は横方向ドット数を１０ビット、縦方向ドット数を１０ビットで表す信号とする。
【００１９】
また、本実施の形態では、第１ＰＣ２に接続されているマウスで受け付けた指示を、重ね合わせ表示した第２ＰＣ３の表示画面上でも有効にするため、モニタ装置１は、マウス情報を、第１通信データ１５を介して受け取り、第２通信データ１８を介して第２ＰＣ３へ出力する。表示制御部２４は、第１ＰＣ２の表示データ１４に、第２ＰＣ３の表示データ１７を、表示位置信号２３に従って重ね合わせ表示をするように処理をし、液晶表示データ２５として出力する。マウスで受け付けた指示により、第１通信データ１５を介して、重ね合わせ表示のウィンドウの大きさが変更された場合は、通信制御部２１は、第１通信データ１５から第２解像度信号を抽出し、第２解像度信号２２介して解像度情報が送り、表示制御部２４が解像度変換を行う。液晶ディスプレイ２６は、液晶表示データ２５に従って表示を行う。液晶ディスプレイ２６の解像度は、ここでは、１０２４×７６８ドットとし、インタフェースは第１ＰＣ２および第２ＰＣ３とも同様に、ＬＶＤＳ信号とする。
【００２０】
図５に、表示制御部２４の内部構成のブロック図を示しす。
【００２１】
図５において、表示制御部２４は、第１表示データ１４を第１パラレルデータ２９に変換する第１データ変換部２７と、第２表示データ１７を第２パラレルデータ３１に変換する第２データ変換部２８と、第１同期信号３０と第２パラレルデータ３１と第２解像度信号２２とから、解像度および周波数を変換してウィンドウ表示パラレルデータ３３を出力する解像度・周波数変換部３２と、表示位置指定信号２３にしたがって第１と第２との表示データを切り替えて重ね合わせ表示データ３５を出力するデータ切り替え部３４と、液晶データに変換する液晶データ変換部３６とを備える。
【００２２】
第１データ変換部２７は、ＬＶＤＳ信号である第１表示データ１４を、Ｒ（赤）Ｇ（緑）Ｂ（青）の表示データ、垂直同期信号、水平同期信号、表示有効期間信号およびドットクロックのパラレルデータに変換し、第１パラレルデータ２９として出力し、また垂直同期信号、水平同期信号およびドットクロックは、第１同期信号３０として、解像度・周波数変換部３２へも出力する。第２データ変換部２８は、第１データ変換部２７と同様に、ＬＶＤＳ信号である第２表示データ１７を、パラレルデータに変換し、第２パラレルデータ３１として出力する。解像度・周波数変換部３２は、第２パラレルデータ３１を、解像度信号２２に従って解像度変換し、第１パラレルデータ３０の周波数と同じになるよう、第１同期信号３０に従って周波数変換を行い、ウィンドウ表示パラレルデータ３３として出力する。ここでは、第１パラレルデータ２９および第２パラレルデータ３１は、ＲＧＢ各色８ビット（１６７０万色表示）データとする。
【００２３】
また、データ切り替え部３４は、表示位置信号２３に従って、重ね合わせ表示の位置で第２パラレルデータ３１を出力するよう、第１パラレルデータ２９と第２パラレルデータ３１とを切り替え、重ね合わせ表示データ３５として出力する。ここでは、表示位置信号２３が“０”のとき第１パラレルデータ２９を、“１”のとき第２パラレルデータ３１を出力する。液晶データ変換部３６は、ＲＧＢ各色８ビットのパラレルデータである重ね合わせ表示データ３５を、液晶ディスプレイ２６の入力信号に変換し、液晶表示データ２５として出力する。
【００２４】
図６に、図５に記載した解像度・周波数変換部３２の内部構成ブロック図を示す。
【００２５】
図６において、解像度・周波数変換部３２は、第２解像度信号２２と第２パラレルデータ３１とから解像度を変換し、解像度変換後同期信号３８と解像度変換後表示データ３９とを出力する解像度変換部３７と、書き込み制御信号４１を出力する書き込み制御部４０と、第１同期信号３０にしたがって読み出し制御信号４３を出力する読み出し制御部４２と、ウィンドウ画面の表示データを格納するメモリのウィンドウ画面格納部４４とを備える。
【００２６】
解像度変換部３７は、第２パラレルデータ３１を、解像度信号２２が示す解像度に従って解像度変換し、解像度変換後同期信号３８および解像度変換後表示データ３９として出力する。書き込み制御部４０は、解像度変換後の垂直同期信号、水平同期信号およびドットクロックである解像度変換後同期信号３８から、ウィンドウ画面格納部４４に同期信号解像度変換後データ３９を書き込むためのタイミング信号である書き込み制御信号４１を生成する。読み出し制御部４２は、第２ＰＣ３の表示画面のデータを第１ＰＣ２の画面上にウィンドウ表示するため、第１パラレルデータ２９のうちの同期信号である第１同期信号３０と、表示位置信号２３とから、ウィンドウ表示位置に合わせて、ウィンドウ画面格納部４４からデータを読み出すための読み出し制御信号４３を生成する。ウィンドウ画面格納部４４は、書き込み制御信号４１に従って解像度変換後表示データ３９を一画面分格納し、読み出し制御信号４３に従って読み出し、ウィンドウ表示パラレルデータ３３として出力する。
【００２７】
次に、通信制御部２１の構成を説明する。図７に、図４に記載した通信制御部２１の内部構成ブロック図を示す。
【００２８】
図７において、通信制御部２１は、第１通信データ１５または第２通信データ１８から、ウィンドウ表示情報４５、ファイル移動指示情報４６、第１ファイルデータ４７、第１キーボード情報４８、第１マウス情報４９、第２解像度情報５０および第２ファイルデータ５１の各々を識別する通信データ識別部５２と、ウィンドウ情報を生成するウィンドウ情報生成部５３とを備える。なお、ウィンドウ表示情報４５、ファイル移動指示情報４６、第１ファイルデータ４７、第１キーボード情報４８、第１マウス情報４９、第２解像度情報５０および第２ファイルデータ５１は、第１ＰＣ通信データ１５及び第２ＰＣ通信データ１７に含まれるデータの種類を示すものであり、信号線を示すものではない。これら種類は第１通信データ１５または第２通信データ１８に、識別子を付加することによって区別し、通信データ識別部５２によって識別する。ウィンドウ表示情報４５は、第１ＰＣ２で表示する第２ＰＣ３のウィンドウ表示の大きさと表示位置を表す情報を示す。ファイル移動指示情報４６は、ファイルの移動またはコピーする場合の、各々のＰＣへの書き込み、読み出しの指示やファイル名の情報を示す。第１ファイルデータ４７は、第１ＰＣ２から第２ＰＣ３へファイルがコピーまたは移動される場合のデータを示す。第１キーボード情報４８は、第１ＰＣ２に接続されたキーボード操作の情報を示し、第１マウス情報４９は、第１ＰＣ２に接続されたマウス操作の情報を示す。第２解像度情報５０は第２ＰＣ３の表示解像度を示す情報であり、第２ファイルデータ５１は、第２ＰＣ３から第１ＰＣ２へファイルがコピーまたは移動される場合のデータを示している。通信データ識別部５２は、第１通信データ１５または第２通信データ１８の識別子から、情報の伝達先を判断し、この伝達先に情報を伝送する。例えば、ウィンドウ表示情報４５はウィンドウ情報生成部５３へ伝送され、ファイル移動指示情報４６、第１ファイルデータ４７、第１キーボード情報４８および第１マウス情報４９は、第２通信データ１８として第２ＰＣ３へ伝送され、第２解像度情報５０および第２ファイルデータ５１は第１通信データ１５として第１ＰＣ２へ伝送される。ウィンドウ情報生成部５３は、ウィンドウ表示情報４５から、第２解像度信号２２および表示位置信号２３を生成する。
【００２９】
つぎに、情報処理装置の内部構成について説明する。図８に、第１ＰＣ２の内部構成のブロック図を示す。
【００３０】
図８において、第１ＰＣ２は、第１ＣＰＵ５４と、第１記憶部５５と、第１ＰＣ通信制御部６５と、それらを接続させるための第１バス６３とを備える。また、５６はウィンドウ表示情報バスデータ、５７はファイル移動指示情報第１バスデータ、５８は第２解像度情報第１バスデータ、５９は第１ファイル第１バスデータ、６０は第２ファイル第１バスデータ、６１は第１キーボード情報第１バスデータ、６２は第１マウス情報第１バスデータ、６４は第１バスデータであり、各々データの種類を示している。第１ＣＰＵ５４および第１記憶部５５と第１バス６３との間は、バスインタフェースであり、ウィンドウ表示情報バスデータ５６、ファイル移動指示情報第１バスデータ５７、第２解像度情報第１バスデータ５８、第１キーボード情報第１バスデータ６１および第１マウス情報第１バスデータ６２が伝送される。第１ファイル第１バスデータ５９および第２ファイル第１バスデータ６０も同様に、第１記憶部５５と第１バス６３との間で伝送される。また、第１バス６３と第１ＰＣ通信制御部６５の間もバスインタフェースにより接続されている。
【００３１】
第１ＣＰＵ５４は、第２ＰＣ３の表示をウィンドウ表示するときの大きさおよび表示位置を示す情報であるウィンドウ表示情報バスデータ５６を出力する。解像度の初期値は任意に設定しておいても良いし、キーボード４からユーザが設定することも可能である。ウィンドウの大きさや表示位置を変更した場合は、その都度、変更後の情報をウィンドウ表示情報バスデータ５６として出力する。また、第１ＰＣ２のファイルを第２ＰＣ３にコピーまたは移動したいときは、キーボード４もしくはマウス５からのユーザの指示に従って、第１ＣＰＵ５４は、第１記憶部５５へのファイル読み出し指示、第２ＰＣ３へのファイル書き込み指示、ファイル名等の情報をファイル移動指示情報第１バスデータ５７として第１記憶部５５および第１ＰＣ通信制御部６５へ出力し、第１記憶部５５は、それに従ったファイルのデータを第１ファイル第１バスデータ５９として出力する。逆に、第２ＰＣ３のファイルを第１ＰＣ２にコピーまたは移動したいときは、キーボード４、マウス５からのユーザの指示に従って、第１記憶部５５へのファイル書き込み指示、第２ＰＣ３へのファイル読み出し指示、ファイル名等の情報をファイル移動指示情報第１バスデータ５７として第１記憶部５５および第１ＰＣ通信制御部６５へ出力する。第１記憶部５５は、第２ＰＣ３からのファイルデータである第２ファイル第１バスデータ６０を受け取る。キーボード４またはマウス５からの指示情報はキーボード情報第１バスデータ６１、マウス情報第１バスデータ６２を介して第１ＣＰＵ５４に送られる。上記ファイルのコピー、移動等も、キーボード４もしくはマウス５から指示されることになる。
【００３２】
第１ＰＣ通信制御部６３は、第１バスデータ６４から入力されるデータであるウィンドウ表示情報バスデータ５６、ファイル移動指示情報第１バスデータ５７、第１ファイル第１バスデータ５９、キーボード情報第１バスデータ６１またはマウス情報第１バスデータ６２を、各々識別子のついたシリアルデータであるウィンドウ表示情報４５、ファイル移動指示情報４６、第１ファイルデータ４７、第１キーボード情報４８または第１マウス情報４９に変換し、第１通信データ１５として出力する。また、第１ＰＣ通信制御部６３は、第１通信データ１５から入力されるデータである第２解像度情報５０または第２ファイルデータ５１を、各々の識別子から第２ＰＣ３の解像度情報か、ファイルデータかを識別し、第２解像度情報第１バスデータ５８または第２ファイル第１バスデータ６０に変換し、第１バスデータ６４、第１バス６３を介して各々第１ＣＰＵ５４および第１記憶部５５に出力する。
【００３３】
つぎに、第２ＰＣ３の構成を説明する。図９に、第２ＰＣ３の内部構成のブロック図を示す。
【００３４】
図９において、第２ＰＣ３は、第２ＣＰＵ６６と、第２記憶部６７と、第２ＰＣ通信制御部７７と、それらを接続させるための第２バス７５とを備える。また、６８は第２解像度情報第２バスデータ、６９は第２ファイル移動指示情報第２バスデータ、７０はファイル移動指示情報第２バスデータ、７１は第１キーボード情報第２バスデータ、７２は第１マウス情報第２バスデータ、７３は第２ファイル第２バスデータ、７４は第１ファイル第２バスデータ、７５は第２バス、７６は第２バスデータであり、各々データの種類を示している。第２ＣＰＵ６６および第２記憶部６７と第２バス７５との間は、第１ＰＣ２と同様に、バスインタフェースであり、第２解像度情報第２バスデータ６８、第２ファイル移動指示情報第２バスデータ６９、ファイル移動指示情報第２バスデータ７０、第１キーボード情報第２バスデータ７１および第２マウス情報第２バスデータ７２が伝送される。第２ファイル移動指示情報第２バスデータ６９、第２ファイル第２バスデータ７３および第１ファイル第２バスデータ７４も同様に、第２記憶部６７と第２バス７５との間で伝送される。また、第２バス７５と第２ＰＣ通信制御部７７の間も同様にバスインタフェースにより接続されている。
【００３５】
第２ＣＰＵ６６は、第２ＰＣ３の表示解像度を示す情報である第２解像度第２バスデータ６８を出力する。また、第２ＰＣ３のファイルを第１ＰＣ２にコピーまたは移動したいとき、第１ＰＣ２に接続されたキーボード４もしくはマウス５からのユーザの指示に従って、第２ＣＰＵ６６は、第１ＰＣから送られてくる、第２ＰＣへのファイル読み出しの指示、ファイル名等の情報を示すファイル移動指示情報第２バスデータ７０を受け取り、第２記憶部からファイルを読み出すよう指示する第２ファイル移動指示情報第２バスデータ６９を、第２バス７５を介して第２記憶部６７へ出力する。第２記憶部６７は、それに従ったファイルのデータを第２ファイルデータ第２バスデータ７３として出力する。逆に、第１ＰＣ２のファイルを第２ＰＣ３にコピーまたは移動したいときは、第１ＰＣ２に接続されたキーボード４もしくはマウス５からのユーザの指示に従って、第１ＰＣ２から送られてくる、第２ＰＣへのファイル書き込みの指示、ファイル名等の情報を示すファイル移動指示情報第２バスデータ７０を受け取り、第２記憶部６７にファイルを書き込むよう指示する第２ファイル移動指示情報第２バスデータ６９を、第２バス７５を介して第２記憶部６７へ出力する。それに従って、第２記憶部６７は、第１ＰＣ２から送られてくる第１ファイル第２バスデータ７４を書き込む。
【００３６】
第２ＰＣ通信制御部７７は、第２バスデータ７６から入力されるデータである第２解像度情報第２バスデータ６８または第２ファイル第２バスデータ７３を、各々識別子のついたシリアルデータである第２解像度情報５０または第２ファイルデータ５１に変換し、第２通信データ１８として出力する。また、第２ＰＣ通信制御部７７は、第２通信データ１８から入力されるデータであるファイル移動指示情報４６、第１ファイルデータ４７、第１キーボード情報４８または第１マウス情報４９を、各々の識別子からファイル移動情報か、ファイルデータか、キーボード情報か、マウス情報かを識別し、ファイル移動指示情報第２バスデータ７０、第１ファイル第２バスデータ７４、第１キーボード情報第２バスデータ７１または第１マウス情報第２バスデータ７２に変換し、第２バスデータ７６、第１バス７５を介して各々第２ＣＰＵ６６および第２記憶部６７に出力する。
【００３７】
つぎに、図１および図２を参照して、本実施の形態における２台のＰＣの接続及び表示の概要について説明する。
【００３８】
図１において、モニタ装置１は、２つのモニタコネクタを備える。モニタコネクタの一つは、通常使用するデスクトップタイプの第１ＰＣ２に接続されて使用されている。本実施の形態では、第２ＰＣ３を接続するためのコネクタは前面に設け、ノートＰＣのような、移動可能なＰＣを使って、別の場所で作成・編集した文書等を、モニタ装置１のような大画面で編集を続けたい場合に、使用しやすい形態とした。このとき、モニタ装置１は、第１ＰＣ２の画面上に第２ＰＣ３の画面をウィンドウ表示するよう制御する。さらに、モニタ装置１のモニタコネクタはインタフェースにＰＣとの通信手段を持つため、ウィンドウ表示された第２ＰＣ３の画面は、第１ＰＣ２に接続されたキーボード４またはマウス５で指示することにより、コントロールすることが可能となる。
【００３９】
図２において、第２ＰＣ表示画面７は、第１ＰＣ表示画面６上にウィンドウ表示されていることを示している。表示位置は第２ＰＣ表示画面左上端垂直方向座標８と、水平方向座標１０によって決定され、大きさは第２ＰＣ表示画面垂直方向大きさ９と、水平方向大きさ１１とによって決定される。どちらも第１ＰＣ２によって制御される。マウスカーソル１２は、第１ＰＣ２に接続されたマウス５のカーソルであり、第１ＰＣ表示画面上６のアイコンの操作はもちろん、第２ＰＣ表示画面７の移動、大きさの変更等のウィンドウ操作、第２ＰＣ表示画面７上のアイコンの操作も可能とし、マウスカーソル１２でファイルアイコンをクリックしながら、第１ＰＣ画面６上のファイルをウィンドウ内の第２ＰＣ画面７上に移動したり、第２ＰＣ画面７上のファイルをウィンドウ外の第１ＰＣ画面６上に移動することにより、第１ＰＣ２と第２ＰＣ３間のファイルのやり取りが可能となる。
【００４０】
次に、図３〜図９を参照して、２台のＰＣによる画面表示の動作の詳細について説明する。
【００４１】
図３において、第１ＰＣ２は、１０２４×７６８ドットの表示データを第１表示データ１４とし、また、重ね合わせ表示をするウィンドウの位置と大きさの情報を第１通信データ１５として、第１ＰＣコネクタ１３から第１モニタコネクタ１９を介して、モニタ装置１へ出力する。第２ＰＣ３は、６４０×４８０ドットの表示データを第２表示データ１７とし、また、解像度が６４０×４８０ドットであるという解像度情報を第２通信データ１８として、第２ＰＣコネクタ１６から第２モニタコネクタ２０を介して、モニタ装置１へ出力する。第２ＰＣ３の解像度情報は、モニタ装置１を介して第１ＰＣ２へ、第１通信データ１５として出力される。第１ＰＣ２は、第２ＰＣ３からモニタ装置１を介して送られてくる解像度情報に従ってウィンドウの大きさの初期値を決定する。したがって、本実施の形態では、ウィンドウ表示の大きさの初期値は６４０×４８０となる。その後、マウス５等によってウィンドウの大きさが変更された場合は、第１通信データ１５として、モニタ装置１へ情報を転送する。モニタ装置１は、第１表示データ１４に従った１０２４×７６８ドットの表示を行うと同時に、第１通信データ１５を介して送られてくるウィンドウの位置と大きさの情報と、第２通信データ１８を介して送られてくる解像度情報とに従って第２ＰＣ３の第２表示データ１７を第１ＰＣ２の表示画面上にウィンドウ表示を行う。本実施の形態では、第１通信データ１５および第２通信データ１８はシリアル通信としているが、現在規格化されているＵＳＢや、さらに高速なＩＥＥＥ１３９４規格のシリアル通信でも良いし、通常のキーボード、マウス等のシリアル通信でも良い。また、インタフェース信号線に余裕がある場合、パラレルで通信しても良い。
【００４２】
つぎに、図７図８および図９を参照して、第１ＰＣ２および第２ＰＣ３の２台のＰＣの画面をモニタ装置１にウィンドウ表示する際の、第１通信データ１５と第２通信データ１８との制御についてさらに説明する。なお、通信データの説明のため、第１表示データ１４および第２表示データ１７の制御については省略している。
【００４３】
図９において、第２ＣＰＵ６６は、第２ＰＣ３の解像度情報である第２解像度情報第２バスデータ６８を出力する。第２ＰＣ通信制御部７７は、第２バス７５および第２バスデータ７６を介して入力される第２解像度第２バスデータ６８を、解像度情報であることを示す識別子を付加した第２解像度情報５０に変換し、第２通信データ１８として出力する。
【００４４】
一方、図７に示すモニタ装置１の通信制御部２１内部の通信データ識別部５２は、この第２通信データ１８を受信し、第２解像度情報５０の識別子から、第１ＰＣ２に送る解像度情報であることを認識し、送り先を第１ＰＣ２とする第１通信データ１５として出力する。
【００４５】
この第１通信データ１５は、図８に示す第１ＰＣ２の第１ＰＣ通信制御部６５にて受信され、第１ＰＣ通信制御部６５は、その識別子から解像度情報であることを認識し、第２解像度情報第１バスデータ５８に変換し、第１バスデータ６４および第１バス６３を介して第１ＣＰＵ５４へ出力する。
【００４６】
第１ＣＰＵ５４は、第２解像度情報第１バスデータ５８が示す解像度を初期値として、第２ＰＣ３の表示をするウィンドウの大きさを決定し、ウィンドウの位置情報とともウィンドウ表示情報バスデータ５６を出力し、第１バス６３および第１バスデータ６４を介して第１ＰＣ通信制御部６５へ情報を渡す。第１ＰＣ通信制御部６５は、ウィンドウ表示情報バスデータ５６を、ウィンドウ情報であることを示す識別子を付加したシリアルデータであるウィンドウ表示情報４５に変換し、第１通信データ１５として出力する。
【００４７】
ウィンドウ表示の位置または大きさを変える場合、キーボード４またはマウス５によって変更の指示を受けつけ、第１キーボード情報第１バスデータ６１、第１マウス情報第１バスデータ６２および第１バス６３を介して第１ＣＰＵ５４にその指示が伝送される。第１ＣＰＵ５４では、その指示に従ったウィンドウ表示情報バスデータ５６を出力する。同様に、第１ＰＣ通信制御部６５は、ウィンドウ表示情報バスデータ５６を、ウィンドウ情報であることを示す識別子を付加したシリアルデータであるウィンドウ表示情報４５に変換し、第１通信データ１５として出力する。
【００４８】
一方、図７に示す通信データ識別部５２は、第１通信データ１５として送られてくるウィンドウ表示情報４５を、その識別子からウィンドウ情報であることを認識し、送り先をウィンドウ情報生成部５３とし出力する。
【００４９】
ウィンドウ情報生成部５３は、ウィンドウ表示情報４５から、ウィンドウ表示の大きさを示す解像度信号２２と、位置を示す表示位置信号２３を生成し、出力する。
【００５０】
また、図８に示す、第１キーボード情報第１バスデータ６１または第１マウス情報第１バスデータ６２は、第１バス６３および第１バスデータ６４を介して第１ＰＣ通信制御部６５に入力される。第１ＰＣ通信制御部６５は、各々にキーボード情報、マウス情報であることを示す識別子を付加したシリアルデータである第１キーボード情報４７または第１マウス情報４８に変換し、第１通信データ１５を介して出力する。これらの情報は、キーボード４またはマウス５で受け付けた指示を、第１ＰＣ２の表示画面内にウィンドウ表示される第２ＰＣ３の表示画面上でも有効とするためのものである。
【００５１】
つぎに、図４〜図６を参照して、第１ＰＣ２の表示画面上に第２ＰＣ３をウィンドウ表示する場合のモニタ装置１の動作を説明する。
【００５２】
図４において、第１ＰＣ２の表示データが第１表示データ１４として、第１モニタコネクタ１９を介して、表示制御部２４へ入力され、この第１ＰＣ２の表示に重ね合わせ表示をするウィンドウの位置と大きさの情報が第１通信データ１５として、第１モニタコネクタ１９を介して、通信制御部２１へ入力される。第２ＰＣ３の表示データは第２表示データ１７として、第２モニタコネクタ２０を介して、表示制御部２４へ入力され、第２ＰＣ３の解像度情報が第２通信データ１８として、第２モニタコネクタ２０を介して、通信制御部２１へ入力される。
【００５３】
通信制御部２１は、第１通信データ１４を介して送られてくる重ね合わせウィンドウの位置と大きさの情報に従って、表示位置信号２３を、第２通信データ１８を介して送られてくる第２ＰＣ３の解像度情報に従って、第２解像度信号２２を生成し、表示制御部２４へ出力する。例えば、重ね合わせウィンドウの左上の座標が１０２４×７６８ドットの解像度中の水平方向１０ドット目、垂直方向１０ライン目で、大きさが６４０×４８０ドットであれば、表示位置信号２３は、垂直方向１０ライン目から４８９ライン目までにおいて、水平方向１０ドット目から６４９ドット目まで“１”となり、解像度信号２２は横方向６４０ドット、縦方向４８０ドットを示す信号となる。
【００５４】
表示制御部２４は、第１表示データ１４に、表示位置信号２３に従った位置に、第２表示データ１７を解像度信号２２に従って解像度変換した大きさで、ウィンドウ表示するための制御を行い、液晶表示データ２５として出力する。液晶ディスプレイ２６は液晶表示データ２５に従って表示を行う。
【００５５】
図５を参照して、表示制御部２４の液晶表示データ２５を生成する場合の動作を詳細に説明する。
【００５６】
図５において、第１データ変換部２７は、第１表示データ１４をＲＧＢ各色８ビットのパラレルデータ、垂直同期信号、水平同期信号、ドットクロックで構成された第１パラレルデータ２９に変換する。本実施の形態では、第１表示データ１４をＬＶＤＳ信号であるとしたため、第１データ変換部２７がシリアル／パラレル変換をするものとする。したがって、第１表示データ１４がＲＧＢ各色８ビットのパラレルデータ、垂直同期信号、水平同期信号、ドットクロックで構成されている場合は、第１データ変換部２７がない構成も可能である。また、第１表示データがアナログデータの場合、第１データ変換部２７はアナログ／デジタル変換を含む構成とすれば良い。第２データ変換部２８も、第１データ変換部２７と同様の構成である。解像度・周波数変換部３２は、第２パラレルデータ３１を解像度情報２２に従った解像度のデータに変換し、第１同期信号３０および表示位置信号２３に従ったタイミングに周波数変換し、ウィンドウ表示パラレルデータ３３として出力する。データ切り替え部３４は、表示位置信号２３が“０”のとき第１パラレルデータ２９を出力し、“１”のときウィンドウ表示パラレルデータ３３を、重ね合わせ表示データ３５として出力する。液晶データ変換部３６は、ＲＧＢ各色８ビットパラレルデータ、垂直同期信号、水平同期信号およびドットクロックで構成されている重ね合わせ表示データ３５を、液晶ディスプレイ２６の入力信号仕様に合わせて変換する。本実施の形態では、液晶ディスプレイ２６の入力信号はＬＶＤＳ信号であるため、液晶データ変換部３６には、パラレル／シリアル変換部が含まれる。また、液晶ディスプレイ２６の入力信号が、ＲＧＢ８ビットパラレルデータ、垂直同期信号、水平同期信号およびドットクロックで構成されている場合は、液晶データ変換部３６がない構成も可能である。液晶ディスプレイ２６の入力信号のＲＧＢデータのビット数が８ビットより少ない場合（例えば６ビット）の場合は、液晶データ変換部３６にＦＲＣ（ＦｒａｍｅＲａｔｅ  Ｃｏｎｔｒｏｌ）等によって、８ビットデータを６ビットデータに変換する手段を含む構成とすれば良い。
【００５７】
図６を参照して、解像度・周波数変換部３２の動作を説明する。
【００５８】
図６において、第２ＰＣ３の表示データである第２パラレルデータ３１は、第１ＰＣ２が第２ＰＣ３の画面をウィンドウ表示する大きさを示す解像度信号２２に従って、解像度変換部３７によって解像度変換後同期信号３８および解像度変換後表示データ３９に変換される。解像度変換後表示データ３９は、第２ＰＣ３の表示データを第１ＰＣ２の表示データに重ね合わせるため、第１ＰＣ２の表示データのタイミングに合わせる必要がある。そこで、解像度変換後表示データ３９を、ウィンドウ画面格納部４４に一画面分一旦格納し、第１ＰＣ２の表示タイミングに合わせて読み出す。そのため、書き込み制御部４０は、第２ＰＣ３の表示タイミングである解像度変換後同期信号３８から、書き込み制御信号４１を生成する。また、読み出し制御部４２は、第１ＰＣ２のタイミングである第１同期信号３０と、ウィンドウ表示の位置を示す表示位置信号２３から、読み出し制御信号４３を生成する。したがって、本実施の形態においては、ウィンドウ画面格納部４４は、最大１０２４ドット×７６８ドット×８ビット×３（ＲＧＢ）ビット分の容量があれば良いことになる。このようにして、解像度変換及び周波数変換された第２ＰＣ３の表示データであるウィンドウ表示パラレルデータ３３が生成される。
【００５９】
次に、図２、図７〜図９を参照して第１ＰＣ２と第２ＰＣ３との間でファイルをやり取りする場合における、第１通信データ１５および第２通信データ１８の制御について説明する。なお、通信データの説明のため、第１表示データ１４、第２表示データ１７は省略している。
【００６０】
まず、第１ＰＣ２から第２ＰＣ３へファイルを移動する場合について説明する。
【００６１】
図２において、第１表示画面６内の移動したいファイルのアイコンを、マウスカーソル１２でクリックしながら第２表示画面７内へ移動させる。
【００６２】
図８に示すマウス５の動きは、第１マウス情報第１バスデータ６２および第１バス６３を介して第１ＣＰＵ５４へ伝送される。ファイルの移動を認識した第１ＣＰＵ５４は、ファイルの第１記憶部６７の読み出し、第２ＰＣ３の書き込み、ファイル名を指示するファイル移動指示情報第１バスデータ５７として、第１バス６３を介して、第１記憶部５５へ出力する。第１記憶部５５は、ファイル移動指示情報第１バスデータ５７から、読み出しを指示されたファイル名に従ったファイルデータを読み出し、第１ファイルデータ第１バスデータ５９として出力する。ファイル移動指示情報第１バスデータ５７および第１ファイル第１バスデータ５９は、第１バス６３および第１バスデータ６４を介して、第１ＰＣ通信制御部６５に出力され、第１ＰＣ通信制御部６５は、各々ファイル移動情報、ファイルデータであることを示す識別子を付加したパラレルデータであるファイル移動指示情報４６および第１ファイルデータ４７に変換し、第１通信データ１５として出力する。
【００６３】
図７に示すモニタ装置の通信データ識別部５２は、第１通信データ１５として送られてくるファイル移動指示情報４６および第１ファイルデータ４７を、識別子からファイル移動情報およびファイルデータであることを認識し、送り先を第２ＰＣ３とする第２通信データ１８として出力する。
【００６４】
図９に示す第２ＰＣ通信制御部７７では、第２通信データ１８として送られてくるファイル移動指示情報４６を、識別子からファイル移動情報であることを認識し、第１ＰＣ２からファイルデータが送られてくることを第２ＣＰＵ６６に知らせるためのファイル移動指示情報第２バスデータ７０に変換し、第２バスデータ７６および第２バス７５を介して、第２ＣＰＵ６６へ出力する。また、第２ＰＣ通信制御部７７は、第２通信データ１８として送られてくる第１ファイルデータ４７を、識別子からファイルデータであることを認識し、第１ファイル第２バスデータ７４に変換し、第２バスデータ７６および第２バス７５を介して、第２記憶部６７へ出力する。
【００６５】
第２ＣＰＵ６６は、ファイル移動指示情報第２バスデータ７０から、第２記憶部６７に、第１ファイル第２バスデータ７４を書き込むための第２ファイル移動指示情報第２バスデータ６９を、第２バス７５を介して、第２記憶部６７に出力する。第２記憶部６７は、第２ファイル移動指示情報第２バスデータ６９に従って、第１ファイル第２バスデータ７４を書き込む。このような処理により、第１ＰＣ２から第２ＰＣ３へのファイル移動が完了する。
【００６６】
次に、第２ＰＣ３から第１ＰＣ２へファイルを移動する場合について説明する。
【００６７】
図２において、第２表示画面７内の移動したいファイルのアイコンを、マウスカーソル１２でクリックしながら第１表示画面６内へ移動させる。
【００６８】
図８でに示すマウス５の動きは、第１マウス情報第１バスデータ６２および第１バス６３を介して第１ＣＰＵ５４へ伝送される。ファイルの移動を認識した第１ＣＰＵ５４は、ファイルの第１記憶部６７の書き込み、第２ＰＣ３の読み出し、ファイル名を指示するファイル移動指示情報第１バスデータ５７として、第１バス６３を介して第１記憶部５５へ出力する。また、同時に第１バス６３および第１バスデータ６４を介してファイル移動指示情報第１バスデータ５７を第１ＰＣ通信制御部６５へ出力する。第１記憶部５５は、書き込みの指示を受け、第２ファイル第１バスデータ６０を待つ。第１ＰＣ通信制御部６５は、ファイル移動指示情報第１バスデータ５７を、ファイル移動情報であることを示す識別子を付加したパラレルデータであるファイル移動指示情報４６に変換し、第１通信データ１５として出力する。
【００６９】
図７に示すモニタ装置の通信データ識別部５２は、第１通信データ１５として送られてくるファイル移動指示情報４６を、識別子からファイル移動情報であることを認識し、送り先を第２ＰＣ３とする第２通信データ１８として出力する。
【００７０】
図９に示す第２ＰＣ通信制御部７７では、第２通信データ１８として送られてくるファイル移動指示情報４６を、識別子からファイル移動情報であることを認識し、第１ＰＣ２へファイルデータを送ることを第２ＣＰＵ６６に知らせるためのファイル移動指示情報第２バスデータ７０に変換し、第２バスデータ７６および第２バス７５を介して、第２ＣＰＵ６６へ出力する。
【００７１】
第２ＣＰＵ６６は、ファイル移動指示情報第２バスデータ７０から、第２記憶部６７から指示されたファイルを第２ファイル第２バスデータ７３として読み出すための第２ファイル移動指示情報第２バスデータ６９を、第２バス７５を介して、第２記憶部６７に出力する。
【００７２】
第２記憶部６７は、第２ファイル移動指示情報第２バスデータ６９に従って、指示されたファイルを読み出し、第２ファイル第２バスデータ７３として、第２バス７５および第２バスデータ７６を介して、第２ＰＣ通信制御部７７へ出力する。
【００７３】
第２ＰＣ通信制御部７７は、第２ファイル第２バスデータ７３を、ファイルデータであることを示す識別子を付加したパラレルデータである第２ファイルデータ５１に変換し、第２通信データ１８として出力する。
【００７４】
図７に示すモニタ装置の通信データ識別部５２は、第２通信データ１８として送られてくる第２ファイルデータ５１を、識別子からファイルデータであることを認識し、送り先を第１ＰＣ２とする第１通信データ１５として出力する。
【００７５】
図８に示す第１ＰＣ通信制御部６５は、第１通信データ１５として送られてくる第２ファイルデータ５１を、識別子からファイルデータであることを認識し、第２ファイル第１バスデータ６０に変換し、第１バスデータ６４および第１バス６３を介して、第１記憶部５５へ出力する。
【００７６】
第１記憶部５５は、先に説明したファイル移動指示情報第１バスデータ５７に従って、第２ファイル第１バスデータ６０を書き込みむ。このような処理により、第２ＰＣ３から第１ＰＣ２へのファイル移動が完了する。
【００７７】
本実施の形態によって得られる効果を簡単に説明すれば、以下のとおりである。
【００７８】
第２ＰＣの表示画面を第１ＰＣの表示画面上にウィンドウ表示するための制御部を、モニタ装置に設けたことにより、携帯性には優れているが、表示画面が小さいノートＰＣのような機器を、大画面のモニタ装置に簡単に接続させることができ、その表示が可能となる。また、第１ＰＣに接続したキーボードや、マウス等の入力手段の通信データや、ＰＣ間のファイルのやり取り等の通信データを制御するための制御部を設けたことにより、第１ＰＣのキーボード、マウス等の入力手段の通信データが、第２ＰＣでも有効となり、ウィンドウ表示した画面上で、キーボード、マウス等を使って、第１ＰＣと第２ＰＣ間のファイル転送を容易に行うことが可能となる。
【００７９】
また、第３の情報処理装置をモニタ装置に接続させる場合には、上述した構成と同様に、モニタ装置に第３モニタコネクタを設け、各情報処理装置間を通信データが送受信できるように、通信制御部で制御することにより、第３の情報処理装置における表示画面をモニタ装置にウィンドウ表示させることができる。この場合、第１ＰＣにおいて、第２および第３のＰＣにおけるウィンドウ表示のコントロールを行わせるようにできる。本実施の形態によれば、マスタとなる情報処理装置を１台設けておくことにより、他の情報処理装置における表示画面の制御を行うことができる。
【００８０】
また、上述した第１および第２の情報処理装置において、上述した通信制御部における機能をアプリケーションソフトウエアにより実現してもよい。
【００８１】
【発明の効果】
本発明によれば、複数の情報処理装置を接続させることができる多入力モニタ装置を実現できる。また、モニタ装置において、複数の情報処理装置間のデータ転送を制御することができる。
【図面の簡単な説明】
【図１】本発明の実施の形態における多入力モニタ装置の使用形態を示す外観図である。
【図２】実施の形態におけるモニタ装置の画面の表示例を示す説明図である。
【図３】実施の形態における多入力モニタ装置の使用形態を示すブロック図である。
【図４】実施の形態におけるモニタ装置の内部構成のブロック図である。
【図５】実施の形態における表示制御部の内部構成のブロック図である。
【図６】実施の形態における解像度・周波数変換部の内部構成のブロック図である。
【図７】実施の形態における通信制御部の内部構成のブロック図である。
【図８】実施の形態における第１ＰＣの内部構成のブロック図である。
【図９】実施の形態における第２ＰＣの内部構成のブロック図である。
【符号の説明】
１…モニタ装置、２…第１ＰＣ、３…第２ＰＣ、４…キーボード、５…マウス、６…第１ＰＣ表示画面、７…第２ＰＣ表示画面、８…ウィンドウ表示左上端垂直方向座標、９…ウィンドウ表示垂直方向大きさ、１０…ウィンドウ表示左上端水平方向座標、１１…ウィンドウ表示水平方向大きさ、１２…マウスカーソル、１３…第１ＰＣコネクタ、１４…第１表示データ、１５…第１通信データ、１６…第２ＰＣコネクタ、１７…第２表示データ、１８…第２通信データ、１９…第１モニタコネクタ、２０…第２モニタコネクタ、２１…通信制御部、２２…解像度信号、２３…表示位置信号、２４…表示制御部、２５…液晶表示データ、２６…液晶ディスプレイ、２７…第１データ変換部、２８…第２データ変換部、２９…  第１パラレルデータ、３０…  第１同期信号、３１…第２パラレルデータ、３２…  解像度・周波数変換部、３３…  ウィンドウ表示パラレルデータ、３４…データ切り替え部、３５…重ね合わせ表示データ、３６…液晶データ変換部、３７…解像度変換部、３８…解像度変換後同期信号、３９…解像度変換後表示データ、４０…書き込み制御部、４１…  書き込み制御信号、４２…  読み出し制御部、４３…読み出し制御信号、４４…ウィンドウ画面格納部、４５…ウィンドウ表示情報、４６…ファイル移動指示情報、４７…第１ファイルデータ、４８…第１キーボード情報、４９…第１マウス情報、５０…第２解像度情報、５１…第２ファイルデータ、５２…通信データ識別部、５３…ウィンドウ情報生成部、５４…第１ＣＰＵ、５５…第１記憶部、５６…ウィンドウ表示情報バスデータ、５７…ファイル移動指示情報第１バスデータ、５８…第２解像度情報第１バスデータ、５９…第１ファイル第１バスデータ、６０…第２ファイル第１バスデータ、６１…第１キーボード情報第１バスデータ、６２…第１マウス第１バスデータ、６３…第１バス、６４…第１バスデータ、６５…第１ＰＣ通信制御部、６６…第１ＣＰＵ、６７…第２記憶部、６８…第２解像度情報第２バスデータ、６９…第２ファイル移動指示情報第２バスデータ、７０…ファイル移動指示情報第２バスデータ、７１…第１キーボード情報第２バスデータ、７２…第１マウス情報第２バスデータ、７３…第２ファイル第２バスデータ、７４…第１ファイル第２バスデータ、７５…第２バス、７６…第２バスデータ、７７…第２ＰＣ通信制御部。
【図１】
0003548679.tif 000002
【図２】
0003548679.tif 000003
【図３】
0003548679.tif 000004
【図４】
0003548679.tif 000005
【図５】
0003548679.tif 000006
【図６】
0003548679.tif 000007
【図７】
0003548679.tif 000008
【図８】
0003548679.tif 000009
【図９】
0003548679.tif 000010